(57)【要約】【課題】  建物の内壁や天井板部等の装着板部への着脱時の作業性を向上させ、かつ装着板部などに損傷を与えないように改良した着脱式照明具を提供する。【解決手段】  ダウンライト等の照明具１であって、光源２を有する基体部３、発光面５、フランジ６を有する本体７に、回動可能に保持されるコイル状部１０ａと第１アーム１０ｂ、第２アーム１０ｃを有する捩りばね１０を備え、捩りばね１０は装着板部２０の開口２１へのセット状態において、フランジ６と第１アーム１０ｂ、第２アーム１０ｃで固定保持され、一方、セット状態から引き抜かれる際には、第１アーム１０ｂ、第２アーム１０ｃの捩り荷重が解消されて装着板部２０の開口２１から照明具１が取り外されることを特徴とする。【選択図】  図３
2011243536.tif 000002
【特許請求の範囲】
【請求項１】
天井板部等の所定の厚みを有する装着板部に形成された開口に嵌め込まれるように、かつ着脱可能に装着されるダウンライト等の照明具であって、
内部に光源を有する基体部と、その基体部の頂部とは反対側の端面に形成され、前記光源からの光を直接又は透光カバーを介して外部に照射する発光面と、その発光面の周囲を環状に又は不連続に取り囲むように形成され、前記基体部の端面から側方へ突出するフランジとを有する本体と、
その本体の外周面の少なくとも２箇所の均等位置において、前記発光面に沿う向きに形成された複数の支持軸部と、コイル状部を有する捩りばねの一端部及び他端部として、又はそれら一端部及び他端部からそれぞれ一体的に延びる延長部として形成され、前記支持軸部に捩りばねのコイル状部が回動可能に保持されることにより、該支持軸部の周りに回動可能に配置された第１アーム及び第２アームとを備え、
第１アームと第２アームとは、無負荷状態で鋭角状に側方に開くように交差し、かつ前記装着板部の開口に挿入する際には起立位置とされ、その起立状態では第１アームの先端部が前記本体の頂部側に、第２アームの先端部が該頂部側より前記発光面寄りに位置し、第２アームの先端部における前記本体の中心線からの距離は、第１アームの先端における同距離より大きくされ、
前記本体が前記装着板部の開口にその頂部側から挿入される過程で、第１アームの先端部は該開口を通過し、他方、第２アームは前記装着板の開口周辺の外側面に干渉して前記支持軸部の周りに捩りばねを回動させ、それにより第１アームを前記起立位置から該本体の前記発光面側へ戻るように回動させるとともに、
前記本体がなおも前記装着板部の開口の奥へ押込まれる過程で、第２アームは前記開口の中心線側へ接近するように回動しつつ該開口の内周面に押し付けられ、それに連動して第１アームがさらに前記発光面側へ前記捩りばねを捩り変形させつつ回動して前記装着板部の内側面に前記開口の奥側から押し付けられ、そのばね荷重に基づく第１アームと第２アームの相対位置が固定位置となり、その固定位置における第１アームの前記装着板部の内側面への押圧力と第２アームの前記開口の内周面への押圧力とにより、前記本体のフランジが前記装着板部の開口周辺の外側面に接触又はごく近接する照明具セット状態とされ、
その照明具セット状態から前記本体が前記装着板部の開口から引き抜かれる際には、第２アームが該開口の内周面を摺動して該開口の外側縁から開き、それに伴い第１アームが前記装着板部の内側面から離れるように前記捩りばねの捩り荷重を解消しながら前記本体の頂部側へ回動することにより、第１アームが前記起立位置側へ復帰しつつ前記開口を通過し、前記本体が前記装着板部の開口から取り外されることを特徴とする着脱式照明具。
【請求項２】
前記フランジは、前記照明具セット状態において、前記装着板部の開口周辺の外側面に密着するように環状に形成されることを特徴とする請求項１に記載の着脱式照明具。
【請求項３】
前記捩りばねのコイル状部を回動可能に保持する支持軸部は、少なくとも相対して本体の中心線を通る直線上で対向する２箇所に設けられることを特徴とする請求項１又は２に記載の着脱式照明具。
【請求項４】
内部に前記光源を有する前記基体部には、前記光源からの熱を外部に放出するための放熱フィンが設けられることを特徴とする請求項１ないし３のいずれか１項に記載の着脱式照明具。
【請求項５】
前記照明具セット状態において、前記装着板部の内側面を押圧する前記第１アームの先端部には、その押圧力を均等にするためのブロック部材が装着されることを特徴とする請求項１ないし４のいずれか１項に記載の着脱式照明具。
【請求項６】
前記発光面は前記光源からの光を外部に照射する透明部材若しくは半透明部材から形成される透光カバーが着脱可能に装着されることを特徴とする請求項１ないし４のいずれか１項に記載の着脱式照明具。
【発明の詳細な説明】
【技術分野】
【０００１】
本発明は、天井などの開口に器具本体を埋め込んで取り付けるようにした、いわゆるダウンライト型で、簡易な取付作業を実現させる着脱式照明具に関する。
【背景技術】
【０００２】
従来、光源を内包して天井面に形成された取付穴に装着するダウンライト型の照明器具としては、器具本体に設けられた相対する一対の板ばねを有し、この板ばね相互の間隔を狭めるように、ばねの弾発力に抗した力を加えながら一対の板ばねを取付穴に挿入し、その後は、板ばね相互が離れる方向に働くばねの弾発力によって取付穴に器具本体を保持させるようにして装着するものが知られている（特許文献１参照）。
【先行技術文献】
【特許文献】
【０００３】
【特許文献１】特開２００３−８６０１９号公報
【発明の概要】
【発明が解決しようとする課題】
【０００４】
ところが、このような構造の照明器具は、この板ばね相互の間隔を狭めるように、ばねの弾発力に抗した力を加えながら取付穴に挿入しなければならず、作業場所が特に天井であれは作業者の上向き姿勢も影響しているため作業性が悪く、しかも、照明器具の取替えは、装着時と逆に板ばね相互の間隔を狭くしなければならず、そのような状態で取付穴から照明器具を抜き出すと、板ばねがその弾発力によって取付穴の内周などを傷付けたり、取付穴が形成される天井などの化粧部材を損傷させてしまう問題を有している。
【０００５】
本発明は上記した現状に鑑みてなされたものであり、建物の内壁や天井板部等の装着板部への着脱時の作業性を向上させ、かつ装着板部などに損傷を与えないように改良した着脱式照明具を提供することにある。
【課題を解決するための手段】
【０００６】
上記課題を解決するために、本発明の着脱式照明具は、天井板部等の所定の厚みを有する装着板部に形成された開口に嵌め込まれるように、かつ着脱可能に装着されるダウンライト等の照明具であって、内部に光源を有する基体部と、その基体部の頂部とは反対側の端面に形成され、前記光源からの光を直接又は透光カバーを介して外部に照射する発光面と、その発光面の周囲を環状に又は不連続に取り囲むように形成され、前記基体部の端面から側方へ突出するフランジとを有する本体と、その本体の外周面の少なくとも２箇所の均等位置において、前記発光面に沿う向きに形成された複数の支持軸部と、コイル状部を有する捩りばねの一端部及び他端部として、又はそれら一端部及び他端部からそれぞれ一体的に延びる延長部として形成され、前記支持軸部に捩りばねのコイル状部が回動可能に保持されることにより、該支持軸部の周りに回動可能に配置された第１アーム及び第２アームとを備え、第１アームと第２アームとは、無負荷状態で鋭角状に側方に開くように交差し、かつ前記装着板部の開口に挿入する際には起立位置とされ、その起立状態では第１アームの先端部が前記本体の頂部側に、第２アームの先端部が該頂部側より前記発光面寄りに位置し、第２アームの先端部における前記本体の中心線からの距離は、第１アームの先端における同距離より大きくされ、前記本体が前記装着板部の開口にその頂部側から挿入される過程で、第１アームの先端部は該開口を通過し、他方、第２アームは前記装着板の開口周辺の外側面に干渉して前記支持軸部の周りに捩りばねを回動させ、それにより第１アームを前記起立位置から該本体の前記発光面側へ戻るように回動させるとともに、前記本体がなおも前記装着板部の開口の奥へ押込まれる過程で、第２アームは前記開口の中心線側へ接近するように回動しつつ該開口の内周面に押し付けられ、それに連動して第１アームがさらに前記発光面側へ前記捩りばねを捩り変形させつつ回動して前記装着板部の内側面に前記開口の奥側から押し付けられ、そのばね荷重に基づく第１アームと第２アームの相対位置が固定位置となり、その固定位置における第１アームの前記装着板部の内側面への押圧力と第２アームの前記開口の内周面への押圧力とにより、前記本体のフランジが前記装着板部の開口周辺の外側面に接触又はごく近接する照明具セット状態とされ、その照明具セット状態から前記本体が前記装着板部の開口から引き抜かれる際には、第２アームが該開口の内周面を摺動して該開口の外側縁から開き、それに伴い第１アームが前記装着板部の内側面から離れるように前記捩りばねの捩り荷重を解消しながら前記本体の頂部側へ回動することにより、第１アームが前記起立位置側へ復帰しつつ前記開口を通過し、前記本体が前記装着板部の開口から取り外されることを特徴とする。
【０００７】
上記構成とすることで、開口への挿入時には、捩りばね自体を全体的に回動させることにより、ばね荷重を余り生じされることなく、回動時に適度なねじり荷重が生じる程度にとどめることにより、過度なばね荷重が発生しない。よって抜き出す際にもさほど大きな抵抗を伴わないで捩りばねの全体的な復帰回動を伴って開口から抜きだすことができる。すなわち、本発明の着脱式照明具は、取付時には押し込むようにし、取り外し時には、引っぱり下げるようにするワンタッチ操作で、装着板部への取付け、取り外しができることにより取付作業が簡易化され、作業性の向上に極めて有益となる。また、特に取り外し時も装着板部に損傷を与えてしまう従来のものとは違い、装着板部に接触しない又は接触しても接触力が小さいため損傷を与えるることなく取り外しが可能となる着脱式照明具を提供できる。
【０００８】
また、本発明の着脱式照明具において、前記フランジは、前記照明具セット状態において、前記装着板部の開口周辺の外側面に密着するように環状に形成されることを特徴とするので、フランジは装着板部の開口周辺を保護する機能と、照明具を捩りばねとの協働によって保持する機能との複合機能を備えさせることができる。
【０００９】
また、本発明の着脱式照明具において、前記捩りばねのコイル状部を回動可能に保持する支持軸部は、少なくとも相対して本体の中心線を通る直線上で対向する２箇所に設けられることを特徴とするので、照明具を保持するための捩りばねの個数も最少数ですみ、これによって捩りばねの押圧力も必要最低限となることによりワンタッチ操作時の操作力の適切化を図るのに有益となる。
【００１０】
また、本発明の着脱式照明具において、内部に前記光源を有する前記基体部には、前記光源からの熱を外部に放出するための放熱フィンが設けられることを特徴とするので、発熱性の大きい白熱電球や、高温耐久性が若干低いＬＥＤ電球の耐久性を維持させるのに好適となる。
【００１１】
また、本発明の着脱式照明具における前記照明具セット状態において、前記装着板部の内側面を押圧する前記第１アームの先端部には、その押圧力を均等にするためのブロック部材が装着されることを特徴とするので、フランジと第１アーム、第２アームで本体を保持する状態を、さらに安定させることができる。
【００１２】
また、本発明の着脱式照明具において、前記発光面は前記光源からの光を外部に照射する透明部材若しくは半透明部材から形成される透光カバーが着脱可能に装着されることを特徴とするので、透光カバーから照射される光の色を、例えば着色された透光カバーに替えることができる。これによって季節や室内の雰囲気に応じて光源自体を取り替えなくて、その模様替えのための自由度が広げられる。
【図面の簡単な説明】
【００１３】
【図１】本発明に係る着脱式照明具の側面を示す図。
【図２】着脱式照明具の平面を示す図。
【図３】着脱式照明具の一部断面側面を示す図。
【図４】着脱式照明具のワンタッチ装着部を示す図。
【図５】着脱式照明具の天板への取り付け状態を示す図。
【図６】着脱式照明具の天板からの取外し状態を示す図。
【図７】着脱式照明具の他の例の側面を示す図。
【図８】着脱式照明具の他の例の平面を示す図。
【図９】同上着脱式照明具のワンタッチ装着部を示す図。
【図１０】ワンタッチ装着部の配置個所の他の例を示す図。
【図１１】ワンタッチ装着部の配置個所の他の例を示す図。
【図１２】着脱式照明具の他の例を示す図。
【図１３】着脱式照明具の他の例を示す図。
【図１４】着脱式照明具の他の例を示す図。
【００１４】
以下、本発明の実施の形態につき図面に示す実施例を参照して説明する。図１は本発明に係る着脱式照明具の側面の概略構造を示す図である。図２は着脱式照明具の平面の概略構造を示す図である。図３は着脱式照明具の一部断面側面の概略構造を示す図である。図４は着脱式照明具のワンタッチ装着部の概略構造を示す図である。図５は着脱式照明具の天板への取り付け状態を示す図である。図６は着脱式照明具の天板からの取外し状態を示す図である。
【００１５】
図１〜図４において、本発明のものは建物の内壁や天井板部等の所定の厚みを有する装着板部２０に形成された丸円状の開口２１に嵌め込まれるように、かつ着脱可能に装着されるダウンライト等の着脱式の第１の照明具１（着脱式照明具）である。
【００１６】
この第１の照明具１は、内部にＬＥＤ電球、または図示しない蛍光電球、白熱電球などの光源２を有するように、その光源２を内部に収納可能とした中空状の第１の基体部３と、その基体部３の頂部３ａとは反対側の端面に形成され、光源２からの光を直接又は透光カバー４を介して外部に照射する発光面５と、その発光面５の周囲を環状に又は不連続に取り囲むように形成され、第１の基体部３の端面から側方へ突出する第１のフランジ６とを有する第１の本体７と、この第１の本体７に設けられるワンタッチ装着部８から構成されている。
【００１７】
また、中空状の第１の基体部３と第１のフランジ６とは軽金属としてのアルミ材によって一体成形されるものであり、その第１の基体部３表面と第１のフランジ６との間には、複数の放熱フィン３ｂが周方向に配列されて一体成形されている。
【００１８】
また、透光カバー４はプラスチックによって成形され、光源２からの光を外部に照射する透明部材若しくは半透明部材である。この透光カバー４は任意に着色することも可能である。この着色された透光カバー４は光源２からの光の色を変えることが可能となる。
【００１９】
また、透光カバー４は第１のフランジ６内側の開口個所に着脱可能に装着される。これによって、透光カバー４から照射される光の色を替えることができ、季節や室内の雰囲気に応じて光源２自体を取り替えなくて、その模様替えのための自由度が広げられる。
【００２０】
ワンタッチ装着部８は、その第１の本体７の外周面の少なくとも２箇所の均等位置、すなわち相対して直線上で対向する位置において、第１のフランジ６から二又状の取付支柱部９が立設されている。この取付支柱部９は放熱フィン３ｂと同様に一体成形されている。この取付支柱部９における一対の角柱又は円柱状に形成される支持柱９ａには、相対する支持柱９ａに向かって突出され、発光面５に沿う向きに形成された複数の角柱又は円柱状の支持軸部９ｂが形成されている。
【００２１】
この一対の支持軸部９ｂには、いわゆる捩りばね１０が装着される。捩りばね１０は、スプリング線材によって巻回形成される一対のコイル状部１０ａを有し、その一対のコイル状部１０ａの一端部及び他端部として、又はそれら一端部及び他端部からそれぞれ一体的に延びる延長部として形成され、一対の支持軸部９ｂに、それぞれコイル状部１０ａが回動可能に保持されることにより、該支持軸部９ｂの周りに回動可能に配置された第１アーム１０ｂ及び第２アーム１０ｃとを備えている。
【００２２】
このコイル状部１０ａの回動状態として、捩りばね１０が無負荷状態で装着される状態では、その回動位置が任意位置で仮固定（少しの外力で動く状態）状態にしている。この仮固定状態は、コイル状部１０ａの内径に対して支持軸部９ｂの外径（角柱であれば対角寸法）を若干大きくして自由な状態ではその回動を規制するようにしている。
【００２３】
この第１アーム１０ｂは一対のコイル状部１０ａの相対する外側の端部から延びる延長部であり、全体がほぼコ字状に折り曲げ形成される。また、折曲の第２アーム１０ｃは一対のコイル状部１０ａの相対する内側の端部から延びる延長部であり、全体がほぼコ字状に折り曲げ形成される。
【００２４】
第１アーム１０ｂと第２アーム１０ｃとは、無負荷状態で鋭角状に側方に開くように交差し、かつ天井板部等の装着板２０部の開口２１に挿入する際には、図５（ａ）に示すように起立位置とされる。その起立状態では第１アーム１０ｂの先端部１０ｂ１が第１の本体７の頂部３ａ側に、第２アーム１０ｃの先端部１０ｃ１が頂部３ａ側より発光面５寄りに位置し、第２アーム１０ｃの先端１０ｃ１における第１の本体７の中心線ＣＬからの距離Ｌ１は、第１アーム１０ｂの先端１０ｂ１における同距離Ｌ２より大きくされている。
【００２５】
また、第１アーム１０ｂの先端部１０ｂ１には、後述するように第１の照明具１のセット状態において、第１アーム１０ｂの先端部１０ｂ１による装着板部２０の内側面２０ｂへの押圧力が均等に加わってセット状態の保持力が安定するように、ほぼ立方体形状のブロック体１０ｄが固定されている。
【００２６】
図５に示すように、第１の本体７における第１の基体部３が装着板部２０の開口２１にその頂部３ａ側から挿入される過程で、第１アーム１０ｂの先端１０ｂ１は開口２１を通過し、他方、第２アーム１０ｃは装着板部２０の開口２１周辺の外側面２０ａに干渉して支持軸部９ｂの周りに捩りばね１０を回動させ、それにより第１アーム１０ｂを起立位置から第１の本体７の発光面５側へ戻るように回動させる。
【００２７】
さらに、第１の本体７の基体部３がなおも装着板部２０の開口２１の奥へ押込まれる過程で、第２アーム１０ｃは開口２１の中心線ＣＬ側へ接近（下方）するように回動しつつ該開口２１の内周面２１ａに押し付けられ、それに連動して第１アーム１０ｂがさらに発光面５側へ捩りばね１０を捩り変形させつつ回動して装着板部２０の内側面２０ｂに開口２１の奥側から押し付けられ、そのばね荷重に基づく第１アーム１０ｂと第２アーム１０ｃの相対位置が固定位置となり、その固定位置における第１アーム１０ｂの装着板部２０の内側面２０ｂへの押圧力と第２アーム１０ｃの開口２１の内周面２１ａへの押圧力とにより、第１の本体７のフランジ６が装着板部２０の開口２１周辺の外側面２０ａに接触又はごく近接することにより第１の照明具１のセット状態（図５（ｅ））とされる。
【００２８】
このセット状態における第１アーム１０ｂと第２アーム１０ｃとの交差角度θ１は、第１アーム１０ｂと第２アーム１０ｃとが無負荷状態で鋭角状に開く交差角度θ２よりも大きくなることによって、第１アーム１０ｂの押圧力と第２アーム１０ｃの押圧力が生じることとなる。
【００２９】
その第１の照明具１のセット状態から第１の本体７が装着板部２０の開口２１から引き抜かれる際には、図６に示すように、第２アーム１０ｃが開口２１の内周面２１ａを摺動して開口２１の内周面２１ａによる拘束状態から開放されると、その外側縁から自由状態となった第２アーム１０ｃが開き、それに伴い第１アーム１０ｂが装着板部２０の内側面２０ｂから離れるように捩りばね１０の捩り荷重を解消しながら第１の本体７の頂部３ａ側へ回動することにより、第１アーム１０ｂが起立位置側へ復帰しつつ開口２１を通過し、第１の本体７の第１の基体部３が装着板部２０の開口２１から取り外されることとなる。このように開口２１への挿入時には、捩りばね１０自体を全体的に回動させることにより、ばね荷重を余り生じされることなく、回動時に適度なねじり荷重が生じる程度にとどめることにより、過度なばね荷重が発生しない。よって抜き出す際にもさほど大きな抵抗を伴わないで捩りばね１０の全体的な復帰回動を伴って開口から抜きだすことができることとなる。
【００３０】
次に、着脱式照明具の他の実施の形態を図７〜図９に示す。この図において、第２の照明具１ａは透光カバー４が着脱可能に装着される円環状の第２のフランジ６ａと、内部に光源２（蛍光電球、または図示しないＬＥＤ電球、白熱電球）を収納可能な逆カップ状の第２の基体部３ｃとが、それぞれ別体形成される。この第２の基体部３ｃの下端側を、第２のフランジ６ａの内側開口縁から立設される周壁６ａ１に、リベット、ネジなどの締結部材Ｂを介して固定するように組み立てることによって第２の本体７ａを構成している。
【００３１】
本例におけるワンタッチ装着部８の支持軸部９ｂは、別体形成され、第２の本体７ａに締結部材Ｂによって固定される橋渡固定部材１１に設けられている。橋渡固定部材１１は、帯板状の金属板部材から第２の基体部３ｃの外側を跨ぐように門型に形成され、その両端部を第２のフランジ６ａから立設される周壁６ａ１に締結部材Ｂによって固定されている。
【００３２】
そして、橋渡固定部材１１の両端部の上側に支持軸部９ｂが形成される。この支持軸部９ｂは板状部材を打ち抜くようにして、その内抜き開口部１１ａに、上述と同様な配置関係を有する支持軸部９ｂが対向して形成される。
【００３３】
そして、この支持軸部９ｂに捩りばね１０が装着される。捩りばね１０は、スプリング材によって巻回形成される一対のコイル状部１０ａを有し、その一対のコイル状部１０ａの一端部及び他端部として、又はそれら一端部及び他端部からそれぞれ一体的に延びる延長部として形成され、一対の支持軸部９ｂに、それぞれコイル状部１０ａが回動可能に保持されることにより、該支持軸部９ｂの周りに回動可能に配置された第１アーム１０ｂ及び第２アーム１０ｃとを備えている。
【００３４】
また、板状部材を打ち抜いて形成した支持軸部９ｂは板片状であるため、上述の角柱又は円柱状の支持軸部９ｂと違いコイル状部１０ａとの接触個所が小さくなるため、該支持軸部９ｂの周りに回動可能に配置された第１アーム１０ｂ及び第２アーム１０ｃの回動を仮止めするための仮保持部材１２が装着されている。
【００３５】
この仮保持部材１２は、スプリング線材によって折り曲げ形成される。この仮保持部材１２はコ字状に形成される短片１２ａの両端から外側に直角に曲げられて延びる挿入部１２ｂを有している。この挿入部１２ｂを短片１２ａが外側に広がるように互いの間隔が狭まるように弾性変形させた状態で一対のコイル状部１０ａに挿入することにより、その弾発力によって仮保持部材１２がコイル状部１０ａの回動方向の任意位置で固定することができる。これによって仮保持部材１２の長片１２ｃを第２アーム１０ｃに接触させることによって、第２アーム１０ｃを、その位置で仮固定することができることとなる。
【００３６】
この第２の照明具１ａによる装着板部２０に対する取り付け、取外しの着脱状態は、上述の第１の照明具１（図５の取り付け状態、図６の取外し状態）と同様であるため、その詳細な説明は省略する。
【００３７】
第１の照明具１、第２の照明具１ａおけるワンタッチ装着部８の配置状態としては、図１０に示すように三箇所に設けたり、図１１に示すように四箇所に設けたりすることが可能であり、その配置数には限定されない。
【００３８】
また、上述の例に共通した図１２に示す丸型の装着板部２０の開口２１の変形形態としては、図１３に示すように四角穴や、図１４に示すように六角穴に形成することも可能である。この例による第１の照明具１における第１の基部３、第１のフランジ６の形態や、第２の照明具１ａおける第２の基部３ｃ、第２のフランジ６ａの形態についても平面視四角、平面視六角状などの多角形状に形成することも可能である。
【００３９】
以上、本発明の実施の形態に付き述べたが、本発明は上記の実施の形態に限定されることなく、本発明の技術的思想に基づいて各種の変更が可能であり、各々の実施の形態は、本発明の説明のために一つ実施の形態の部分として述べられている構成を、別の実施の形態において利用し、さらに別の実施の形態とすることができる。
【符号の説明】
【００４０】
１          照明具（第１の照明具）
１ａ        照明具（第２の照明具）
２          光源
３          基体部
３ａ        頂部
３ｂ        放熱フィン
４          透光カバー
５          発光面
６          フランジ
７          本体
９ｂ        支持軸部
１０        捩りはね
１０ａ      コイル状部
１０ｂ      第１アーム
１０ｂ１    先端部
１０ｃ      第２アーム
１０ｃ１    先端部
１０ｄ      ブロック体
２０        装着板部
２０ａ      外側面
２０ｂ      内側面
２１        開口
２１ａ      内周面
【図１】
2011243536.tif 000003
【図２】
2011243536.tif 000004
【図３】
2011243536.tif 000005
【図４】
2011243536.tif 000006
【図５】
2011243536.tif 000007
【図６】
2011243536.tif 000008
【図７】
2011243536.tif 000009
【図８】
2011243536.tif 000010
【図９】
2011243536.tif 000011
【図１０】
2011243536.tif 000012
【図１１】
2011243536.tif 000013
【図１２】
2011243536.tif 000014
【図１３】
2011243536.tif 000015
【図１４】
2011243536.tif 000016